(57)【要約】衝突事象での自動車の安全性および性能を向上させる装置および方法が開示される。装置は、前部衝突パッドと、後部衝突パッドと、連結ビームとを含む。衝突パッドおよび連結ビームの両方は、運動エネルギーを歪みエネルギーに変換することによりエネルギーを吸収および放散する態様で、自動車に連結される。【選択図】図１
2018504321.tif 000002
【特許請求の範囲】
【請求項１】
衝突での自動車の安全性を向上させるデバイスであって、
第１および第２の衝突パッドと、
前記第１および第２の衝突パッドの間に設けられた連結ビームと、
を備え、
前記デバイスが、運動エネルギーを歪みエネルギーに変換することによりエネルギーを吸収および放散する、デバイス。
【請求項２】
前記第１および第２の衝突パッドと、前記連結ビームとが、いずれも弾性的および塑性的に変形し、前記自動車の前記運動エネルギーの少なくとも１０パーセントが歪みエネルギーに変換される、請求項１に記載のデバイス。
【請求項３】
前記第１および第２の衝突パッドが、前方および後部の衝突パッドを含み、
前記連結ビームが、前記前方および後部の衝突パッドを互いに連結し、
前記前方衝突パッド、前記後部衝突パッド、および前記連結ビームのそれぞれが、偏向時に衝突エネルギーを吸収する、請求項１に記載のデバイス。
【請求項４】
前記デバイスが、前記自動車の車輪格納部および側面ドアの少なくとも一方に搭載された、請求項１に記載のデバイス。
【請求項５】
前記デバイスが、倒立した「Ｕ」形状である、請求項１に記載のデバイス。
【請求項６】
前記連結ビームが、前ショック、スプリング、または他のそのようなコンポーネントのための隙間を設けるために１つまたは複数の切り欠きを有する、請求項１に記載のデバイス。
【請求項７】
前記連結ビームが複数のコンポーネントを含む、請求項１に記載のデバイス。
【請求項８】
正面衝突時に、前記デバイスがロッカー、Ａピラー、ならびにロッカーおよびＡピラーに連結された車両構造の少なくとも１つと相互作用して、エネルギーを放散し、乗員室ののめり込みおよび乗員への潜在的な損傷を最小化する、請求項４に記載のデバイス。
【請求項９】
背面衝突時に、前記デバイスが後部車両構造と相互作用して、エネルギーを放散し、乗員室ののめり込みおよび乗員への潜在的な損傷を最小化する、請求項４に記載のデバイス。
【請求項１０】
前記デバイスが、車輪およびタイヤアセンブリと相互作用して、エネルギーを吸収および放散する、請求項４に記載のデバイス。
【請求項１１】
前記デバイスが、衝突時に車輪およびタイヤアセンブリと相互作用して、前記車輪およびタイヤアセンブリが前記車輪格納部に対して回転してずれるのを防ぐことによりエネルギーの吸収および放散を向上させる、請求項１０に記載のデバイス。
【請求項１２】
衝突の進行に伴って前記車輪およびタイヤアセンブリが回転したときに、前記車輪およびタイヤアセンブリが、第１のパッドと相互作用してエネルギーの吸収および放散を向上させる、請求項１０に記載のデバイス。
【請求項１３】
衝突時に、前記連結ビームが、最初に弾性変形することにより衝撃を吸収し、次に塑性変形することにより衝撃をさらに吸収する、請求項４に記載のデバイス。
【請求項１４】
前記第１および第２の衝突パッドが、単位体積当たり質量が約３，０００ｋｇ／ｍ３未満、かつ降伏強度が少なくとも１８０ＭＰａの材料で構成された、請求項１に記載のデバイス。
【請求項１５】
前記第１および第２の衝突パッドが、ヤング係数が少なくとも５００ＭＰａの材料で構成された、請求項１に記載のデバイス。
【請求項１６】
前記第１および第２の衝突パッドが、単位体積当たり質量が約１，０００ｋｇ／ｍ３未満の金属発泡体で少なくとも部分的に構成された、請求項１に記載のデバイス。
【請求項１７】
前記第１および第２の衝突パッドが、２つのスキン層の間に挟まれた単位体積当たり質量が約１，０００ｋｇ／ｍ３未満の金属発泡体で構成され、前記スキン層が前記金属発泡体に取り付けられた、請求項１に記載のデバイス。
【請求項１８】
前記第１および第２の衝突パッドが、エネルギーを吸収する能力を最大化すると同時に質量を最小化するために、開いているかまたは閉じている多孔態様で少なくとも部分的に構成された、請求項４に記載のデバイス。
【請求項１９】
前記第１および第２の衝突パッドが、２つのスキン層の間に挟まれた多孔層として構成され、前記スキン層が前記多孔層に取り付けられた、請求項１４に記載のデバイス。
【請求項２０】
前記連結ビームが多孔層として構成された、請求項１に記載のデバイス。
【請求項２１】
前記第１および第２の衝突パッドが、複合型の第１のスキンおよび第２のスキン層でカバーされた多孔層として構成され、前記第２のスキン層が前記多孔層に堅く取り付けられた、請求項１４に記載のデバイス。
【請求項２２】
前記第１および第２の衝突パッドが、２つのスキンの間に挟まれた中空薄壁チューブ状部分として構成された、請求項４に記載のデバイス。
【請求項２３】
前記中空薄壁チューブ状部分が、前記衝突パッドのスキンに対して実質的に軸方向に方向付けられた、請求項２２に記載のデバイス。
【請求項２４】
前記中空薄壁チューブ状部分が、前記衝突パッドのスキンに対して実質的に横断方向に方向付けられた、請求項２２に記載のデバイス。
【請求項２５】
前記中空薄壁チューブ状部分が、薄壁のリブおよびウェブの行列の配列として構成された、請求項２２に記載のデバイス。
【請求項２６】
前記中空薄壁チューブ状部分が、拡張高分子発泡体材料で満たされた、請求項２２に記載のデバイス。
【請求項２７】
側面衝突時に、前記デバイスが前記自動車の外板、前記自動車のドアフレーム、およびドア内の前記衝突ビームと相互作用して、エネルギーを放散し、乗員室ののめり込みおよび乗員への潜在的な損傷を最小化する、請求項１に記載のデバイス。
【請求項２８】
側面衝突時に、前記デバイスが前記自動車の外板、前記自動車のドアフレーム、およびドア内の前記衝突ビームと相互作用して、エネルギーを放散し、乗員室ののめり込みおよび乗員への潜在的な損傷を最小化する、請求項２に記載のデバイス。
【請求項２９】
前記第１および第２の衝突パッドと前記連結ビームとが、単一の構造として一体に形成されている、請求項１に記載のデバイス。
【請求項３０】
衝突での自動車の安全性を向上させるシステムであって、前記システムが、
第１および第２の衝突パッドと、
前記第１および第２の衝突パッドの間に設けられた連結ビームと、
自動車と
を備え、第１および第２の衝突パッドと連結ビームとのアセンブリが、前記自動車に添付されている、システム。
【請求項３１】
前記自動車の運動エネルギーの少なくとも１０パーセントが、前記第１および第２の衝突パッドと前記連結ビームとの弾性変形および塑性変形の両方の形式で歪みエネルギーに変換される、請求項３０に記載のシステム。
【請求項３２】
前方衝突パッドと、後部衝突パッドと、前記前方衝突パッドと前記後部衝突パッドとを連結する連結ビームとからなり、前方衝突パッド、後部衝突パッド、および連結ビームのそれぞれが偏向時に衝突エネルギーを吸収する、請求項３０に記載のシステム。
【請求項３３】
第１および第２の衝突パッドと連結ビームとからなるエネルギー吸収アセンブリが、自動車の車輪格納部に搭載された、請求項３０に記載のシステム。
【請求項３４】
前方衝突パッドと、後部衝突パッドと、前記衝突パッドを連結する連続的に形成された連結ビームとからなるエネルギー吸収アセンブリの形状が、車両の最小限の改良により車輪格納部に据え付けることが可能な倒立したＵ形状である、請求項３３に記載のシステム。
【請求項３５】
前記連続的に形成された連結ビームに、前ショック、スプリング、または他のそのようなコンポーネントのための隙間を設けるための１つまたは複数の切り欠きがめり込んだ、請求項３４に記載のシステム。
【請求項３６】
前記連結ビームが複数のコンポーネントのアセンブリである、請求項３０に記載のシステム。
【請求項３７】
正面衝突時に、前記エネルギー吸収アセンブリがロッカーやＡピラーなどの１つまたは複数の車両コンポーネントと相互作用して、エネルギーを放散し、乗員室ののめり込みおよび乗員への潜在的な損傷を最小化する、請求項３０に記載のシステム。
【請求項３８】
背面衝突時に、前記エネルギー吸収アセンブリが後部車両構造と相互作用して、エネルギーを放散し、乗員室ののめり込みおよび乗員への潜在的な損傷を最小化する、請求項３０に記載のシステム。
【請求項３９】
前記エネルギー吸収アセンブリが、車輪およびタイヤアセンブリと相互作用して、エネルギーを吸収および放散する、請求項３０に記載のシステム。
【請求項４０】
前記エネルギー吸収アセンブリが、衝突時に前記車輪およびタイヤアセンブリと相互作用して、前記車輪およびタイヤアセンブリが前記車輪格納部に対して回転してずれるのを防ぐことによりエネルギーの吸収および放散を向上させる、請求項３０に記載のシステム。
【請求項４１】
衝突の進行に伴って前記車輪およびタイヤアセンブリが回転したときに、前記車輪およびタイヤアセンブリが、後方衝突パッドと相互作用してエネルギーの吸収および放散を向上させる、請求項３０に記載のシステム。
【請求項４２】
衝突時に、前記連結ビームが、最初に弾性変形することにより衝撃を吸収し、次に塑性変形することにより衝撃をさらに吸収する、請求項３０に記載のシステム。
【請求項４３】
前記第１および第２の衝突パッドが、単位体積当たり質量が約３，０００ｋｇ／ｍ３未満、かつ降伏強度が少なくとも１８０ＭＰａの材料で構成された、請求項３０に記載のシステム。
【請求項４４】
前記第１および第２の衝突パッドが、ヤング係数が少なくとも５００ＭＰａの材料で構成された、請求項３０に記載のシステム。
【請求項４５】
前記第１および第２の衝突パッドが、単位体積当たり質量が約１，０００ｋｇ／ｍ３未満の金属発泡体で少なくとも部分的に構成された、請求項３０に記載のシステム。
【請求項４６】
前記第１および第２の衝突パッドが、２つのスキン層の間に挟まれた単位体積当たり質量が約１，０００ｋｇ／ｍ３未満の金属発泡体で構成され、前記スキン層が前記金属発泡体に堅く取り付けられた、請求項３０に記載のシステム。
【請求項４７】
前記第１および第２の衝突パッドが、エネルギーを吸収する能力を最大化すると同時に質量を最小化するために、開いているかまたは閉じている多孔態様で少なくとも部分的に構成された、請求項３０に記載のシステム。
【請求項４８】
前記第１および第２の衝突パッドが、２つのスキン層の間に挟まれた多孔層として構成され、前記スキン層が前記多孔層に堅く取り付けられた、請求項４７に記載のシステム。
【請求項４９】
前記第１および第２の衝突パッドが、２つのスキン層の間に挟まれた多孔層として構成され、前記スキン層が前記多孔層に堅く取り付けられた、請求項３０に記載のシステム。
【請求項５０】
前記第１および第２の衝突パッドが、２つのスキン層の間に挟まれた多孔層として構成され、前記スキン層が前記多孔層に堅く取り付けられた、請求項４９に記載のシステム。
【請求項５１】
前記第１および第２の衝突パッドが、２つの衝突パッドの間に挟まれた中空薄壁チューブ状部分として構成された、請求項３０に記載のシステム。
【請求項５２】
前記中空薄壁チューブ状部分が、前記衝突パッドのスキンに対して実質的に軸方向に方向付けられた、請求項５１に記載のシステム。
【請求項５３】
前記中空薄壁チューブ状部分が、前記衝突パッドのスキンに対して実質的に横断方向に方向付けられた、請求項５１に記載のシステム。
【請求項５４】
前記中空薄壁チューブ状部分が、薄壁のリブおよびウェブの行列の配列として構成された、請求項５１に記載のシステム。
【請求項５５】
前記中空薄壁チューブ状部分が、拡張高分子発泡体材料で満たされた、請求項５１に記載のシステム。
【請求項５６】
側面衝突時に、前記エネルギー吸収アセンブリが前記自動車の外板、前記自動車のドアフレーム、およびドア内の前記衝突ビームと相互作用して、エネルギーを放散し、乗員室ののめり込みおよび乗員への潜在的な損傷を最小化する、請求項３０に記載のシステム。
【請求項５７】
第１および第２の衝突パッドと連結ビームとを有し、車輪格納部および側面ドアの少なくとも一方に取り付けられた安全デバイスを通じて、衝突での自動車の安全性を向上させる方法であって、前記方法が、
衝突力を受け止めることと、
運動エネルギーを歪みエネルギーに変換するために、前記第１および第２の衝突パッドと前記連結ビームとを弾性的および塑性的に変形させることと
を含む方法。
【請求項５８】
前記自動車の前記運動エネルギーの少なくとも１０パーセントが、前記第１および第２の衝突パッドと前記連結ビームとの弾性変形および塑性変形の両方の形式で歪みエネルギーに変換される、請求項５７に記載の方法。
【請求項５９】
前方衝突パッドと、後部衝突パッドとが、連結ビームにより連結され、前方衝突パッド、後部衝突パッド、および連結ビームのそれぞれが、偏向時に衝突エネルギーを吸収する、請求項５７に記載の方法。
【請求項６０】
第１および第２の衝突パッドと連結ビームとからなるエネルギー吸収アセンブリが、自動車の車輪格納部に搭載された、請求項５７に記載の方法。
【請求項６１】
前方衝突パッドと、後部衝突パッドと、前記衝突パッドを連結する連続的に形成された連結ビームとからなるエネルギー吸収アセンブリの形状が、最小限の改良により前記車輪格納部に据え付けることが可能な倒立したＵ形状である、請求項５９に記載の方法。
【請求項６２】
前記連続的に形成された連結ビームに、前ショック、スプリング、または他のそのようなコンポーネントのための隙間を設けるための１つまたは複数の切り欠きがめり込んだ、請求項６１に記載の方法。
【請求項６３】
前記連結ビームが複数のコンポーネントのアセンブリである、請求項５７に記載の方法。
【請求項６４】
正面衝突時に、前記エネルギー吸収アセンブリがロッカーやＡピラーなどの１つまたは複数の車両コンポーネントと相互作用して、エネルギーを放散し、乗員室ののめり込みおよび乗員への潜在的な損傷を最小化する、請求項５７に記載の方法。
【請求項６５】
背面衝突時に、前記エネルギー吸収アセンブリが後部車両構造と相互作用して、エネルギーを放散し、乗員室ののめり込みおよび乗員への潜在的な損傷を最小化する、請求項５７に記載の方法。
【請求項６６】
前記エネルギー吸収アセンブリが、車輪およびタイヤアセンブリと相互作用して、エネルギーを吸収および放散する、請求項５７に記載の方法。
【請求項６７】
前記エネルギー吸収アセンブリが、衝突時に前記車輪およびタイヤアセンブリと相互作用して、前記車輪およびタイヤアセンブリが前記車輪格納部に対して回転してずれるのを防ぐことによりエネルギーの吸収および放散を向上させる、請求項６６に記載の方法。
【請求項６８】
衝突の進行に伴って前記車輪およびタイヤアセンブリが回転したときに、前記車輪およびタイヤアセンブリが、後方衝突パッドと相互作用してエネルギーの吸収および放散を向上させる、請求項６６に記載の方法。
【請求項６９】
衝突時に、前記連結ビームが、最初に弾性変形することにより衝撃を吸収し、次に塑性変形することにより衝撃をさらに吸収する、請求項５７に記載の方法。
【請求項７０】
前記第１および第２の衝突パッドが、単位体積当たり質量が約３，０００ｋｇ／ｍ３未満、かつ降伏強度が少なくとも１８０ＭＰａの材料で構成された、請求項５７に記載の方法。
【請求項７１】
前記第１および第２の衝突パッドが、ヤング係数が少なくとも５００ＭＰａの材料で構成された、請求項５７に記載の方法。
【請求項７２】
前記第１および第２の衝突パッドが、単位体積当たり質量が約１，０００ｋｇ／ｍ３未満の金属発泡体で少なくとも部分的に構成された、請求項５７に記載の方法。
【請求項７３】
前記第１および第２の衝突パッドが、２つのスキン層の間に挟まれた単位体積当たり質量が約１，０００ｋｇ／ｍ３未満の金属発泡体で構成され、前記スキン層が前記金属発泡体に堅く取り付けられた、請求項５７に記載の方法。
【請求項７４】
前記第１および第２の衝突パッドが、エネルギーを吸収する能力を最大化すると同時に質量を最小化するために、開いているかまたは閉じている多孔態様で少なくとも部分的に構成された、請求項５７に記載の方法。
【請求項７５】
前記第１および第２の衝突パッドが、２つのスキン層の間に挟まれた多孔層として構成され、前記スキン層が前記多孔層に堅く取り付けられた、請求項５７に記載の方法。
【請求項７６】
前記連結ビームが多孔層として構成された、請求項５７に記載の方法。
【請求項７７】
前記第１および第２の衝突パッドが、２つのスキン層の間に挟まれた多孔層として構成され、前記スキン層が前記多孔層に堅く取り付けられた、請求項５７に記載の方法。
【請求項７８】
前記第１および第２の衝突パッドが、２つの衝突パッドの間に挟まれた中空薄壁チューブ状部分として構成された、請求項５７に記載の方法。
【請求項７９】
前記中空薄壁チューブ状部分が、前記衝突パッドのスキンに対して実質的に軸方向に方向付けられた、請求項７８に記載の方法。
【請求項８０】
前記中空薄壁チューブ状部分が、前記衝突パッドのスキンに対して実質的に横断方向に方向付けられた、請求項７８に記載の方法。
【請求項８１】
前記中空薄壁チューブ状部分が、薄壁のリブおよびウェブの行列の配列として構成された、請求項７８に記載の方法。
【請求項８２】
前記中空薄壁チューブ状部分が、拡張高分子発泡体材料で満たされた、請求項７８に記載の方法。
【請求項８３】
側面衝突時に、前記エネルギー吸収アセンブリが前記自動車の外板、前記自動車のドアフレーム、およびドア内の衝突ビームと相互作用して、エネルギーを放散し、乗員室ののめり込みおよび乗員への潜在的な損傷を最小化する、請求項５７に記載の方法。
【請求項８４】
前記第１および第２の衝突パッドならびに連結ビームの形状が、ロッカー、Ａピラー、ならびに前記第１および第２の衝突パッドのアセンブリと連結ビームとが取り付けられた他の構造部材と協調して動作して、さまざまなコンポーネントの弾性変形および塑性変形の両方の形式で歪みエネルギーに変換される前記自動車の運動エネルギーの割合についての特定の目的を満たすように調整された、請求項５７に記載の方法。
【請求項８５】
自動車に添付する前に、前記第１および第２の衝突パッドのアセンブリと連結ビームとが、溶接プロセスにより接合される、請求項５７に記載の方法。
【請求項８６】
自動車に添付する前に、前記第１および第２の衝突パッドのアセンブリと連結ビームとが、機械的に接合される、請求項５７に記載の方法。
【請求項８７】
自動車に添付する前に、前記第１および第２の衝突パッドのアセンブリと連結ビームとが、最初に機械的に接合され、次に溶接される、請求項５７に記載の方法。
【請求項８８】
自動車に添付する前に、前記第１および第２の衝突パッドのアセンブリと連結ビームとが、最初に機械的に接合され、次に高強度粘着物が適用される、請求項５７に記載の方法。
【請求項８９】
自動車に添付する前に、前記第１および第２の衝突パッドのアセンブリと連結ビームとが、摩擦撹拌溶接プロセスにより接合される、請求項８５に記載の方法。
【請求項９０】
自動車の衝突での乗員の安全性を向上させるデバイスの連結ビームを製作する方法であって、
低単位体積当たり質量および高強度の特性を有する多孔材料の少なくとも１つの層を形成することと、
高引張強度の特性を有し、多孔材料の前記層の少なくとも一方側をカバーする連続的なスキン層を取り付けることと
を含む方法。
【請求項９１】
多孔材料の前記層の単位体積当たり質量が３，０００ｋｇ／ｍ３未満である、請求項９０に記載の方法。
【請求項９２】
多孔材料の前記層の単位体積当たり質量が１，０００ｋｇ／ｍ３未満である、請求項９０に記載の方法。
【請求項９３】
高引張強度の特性を有する第１の連続的なスキン層が、前記多孔材料の外側をカバーし、高引張強度の特性を有する第２の連続的なスキン層が、前記多孔材料の内側をカバーする、請求項９０に記載の方法。
【請求項９４】
高引張強度の特性を有する前記連続的なスキン層が、前記スキン層を前記多孔材料上で鋳造することにより取り付けられる、請求項９０に記載の方法。
【請求項９５】
自動車の衝突での乗員の安全性を向上させるデバイスのコンポーネントを製作する方法であって、前記コンポーネントが、連結ビーム、衝突パッド、ならびに前記連結ビームと第１および第２の衝突パッドとの一体構造のいずれかを含み、前記方法が、
前記コンポーネントを、主荷重経路リブが前記コンポーネントの軸長にまたがる状態で、リブおよびウェブ設計として形成すること
を含む方法。
【請求項９６】
前記主荷重経路リブが、荷重偏向要件を満たすための必要性に応じて離間した垂直なストリンガーリブで連結された、請求項９５に記載の方法。
【請求項９７】
リブおよびウェブ構造により形成されるポケットが、金属発泡材料で満たされる、請求項９６に記載の方法。
【請求項９８】
前記金属発泡材料が、高強度粘着物により取り付けられる、請求項９７に記載の方法。
【請求項９９】
前記金属発泡材料が、高強度粘着物により、リブポケットの内部の第１のスキン層に取り付けられる、請求項９７に記載の方法。
【請求項１００】
前記コンポーネントが、第１のスキン層を第１の側に適用し、第２のスキン層を第２の側に適用することにより閉じられたリブおよびウェブ設計を有する、請求項９５に記載の方法。
【請求項１０１】
前記金属発泡材料で満たされたリブポケットをカバーするために、第２のスキン層が高強度粘着物により取り付けられる、請求項９５に記載の方法。
【請求項１０２】
前記第２のスキン層が打抜きにより形成される、請求項１００に記載の方法。
【請求項１０３】
前記第２のスキン層が鍛造により形成される、請求項１００に記載の方法。
【請求項１０４】
前記第２のスキン層が鋳造により形成される、請求項１００に記載の方法。
【請求項１０５】
前記第２のスキン層が高分子複合材料で形成される、請求項１００に記載の方法。
【請求項１０６】
前記第２のスキン層が高強度プラスチック材料で形成される、請求項１００に記載の方法。
【請求項１０７】
前記第２のスキン層が炭素繊維複合材料である、請求項１００に記載の方法。
【請求項１０８】
連結ビームや衝突パッドなどの前記コンポーネントが、鋳造プロセスにより形成される、請求項９５に記載の方法。
【請求項１０９】
連結ビームや衝突パッドなどの前記コンポーネントが、主にアルミニウムと１つまたは複数の他の要素とからなる合金を鋳造するプロセスにより形成される、請求項９５に記載の方法。
【請求項１１０】
リブおよびウェブ構造により形成されるポケットが、拡張高分子発泡体材料で満たされる、請求項９５に記載の方法。
【請求項１１１】
前記高分子発泡体材料がポリウレタンである、請求項１１０に記載の方法。
【請求項１１２】
前記第２のスキン層が、荷重の分散をもたらす高剛性を有する、請求項１００に記載の方法。
【請求項１１３】
前記第２のスキン層の高剛性が、前記第２のスキン層をヤング係数が高い材料から形成することにより実現される、請求項１１２に記載の方法。
【請求項１１４】
前記第２のスキン層の高剛性が、前記第２のスキン層を金属基複合材から形成することにより実現される、請求項１１２に記載の方法。
【請求項１１５】
前記第２のスキン層の高剛性が、前記第２のスキン層を炭素繊維複合材料から形成することにより実現される、請求項１１２に記載の方法。
【請求項１１６】
前記第２のスキン層の高剛性が、前記第２のスキン層の厚さを増加することにより実現される、請求項１１２に記載の方法。
【請求項１１７】
前記第２のスキン層の高剛性が、前記第２のスキン層をヤング係数が高い材料から形成することと、前記第２のスキン層の厚さを増加することとの組み合わせにより実現される、請求項１１２に記載の方法。
【請求項１１８】
前記第２のスキン層の高剛性が、前記第２のスキン層を鋼鉄から形成することにより実現される、請求項１１２に記載の方法。
【請求項１１９】
第１のスキン層が前記リブおよびウェブ構造と同時に鋳造されて一方側が閉じられたポケットを形成する、請求項１００に記載の方法。
【請求項１２０】
一方側が閉じられた前記ポケットが、エネルギー吸収材料で少なくとも部分的に満たされ、その後第２のスキン層が取り付けられる、請求項１００に記載の方法。
【請求項１２１】
前記第２のスキン層が、高強度粘着物を使用して取り付けられる、請求項１１７に記載の方法。
【発明の詳細な説明】
【技術分野】
【０００１】
関連出願の相互参照
本願は、米国特許法第１１９条（ｅ）の下で、２０１４年１１月２４日に提出された米国仮出願第６２／０８３，４０３号「正面衝撃に対する等減速ユニット」の利益を請求するものであり、当該米国仮出願の全体を本明細書にて引用により援用する。
【０００２】
開示された実施形態は、一般的には自動車に関し、より詳細には、自動車の正面、背面、および側面の衝突の性能を向上させるために配置された安全システムに関する。
【背景技術】
【０００３】
自動車事故は、今日の世界における不幸な現実である。毎年、米国だけで数万件の事故が発生している。これらの事故は、最低でも、自動車の所有者および保険会社に金銭的な負担を課し、最悪のシナリオでは、自動車の運転者および／または他の乗員を死亡させる。２０１２年だけで、米国では３３，５６１人以上が自動車関連で死亡している。過去数十年で、自動車業界は、数例を挙げると、正面エアバッグ、側面カーテンエアバッグ、電子衝突回避システム、構造的衝撃吸収ゾーンなどの技術革新により、安全性を大幅に進歩させた。今日の安全性に関する技術革新をもってしても、自動車の安全性をさらに向上させる要望が存在する。
【０００４】
前部衝撃衝突の場合など、衝撃が車両の外側２５％に向かう衝突状況に関し、自動車メーカーは、（たとえば、IIHSのスモールオーバーラップ前部衝撃テストおよび実社会の事故の両方で）車両の性能を向上させるために、２つの主な戦略を用いてきた。これらの戦略には、１）車両の前部角の、前バンパーと車輪格納部の後方側にあるパネルとの間に、構造を追加することと、２）車輪や下コントロールアームなどの構造部材を、特定の荷重では破砕し、それよりも少ないエネルギーの荷重では屈曲するように設計することとが含まれる。そのような知られている戦略では、すべての態様で満足のいく解決策を得ることはできない。
【発明の概要】
【課題を解決するための手段】
【０００５】
一態様によると、実社会および／またはシミュレーションの衝突（たとえば、IIHSのスモールオーバーラップ前部衝撃テスト）で自動車の性能を向上させる安全システムが開示される。一部の実施形態では、等減速ユニット（「UDU」）とも呼ばれるシステムは、正面衝撃から生じるエネルギーを、ＵＤＵ構造と対応する車輪およびタイヤアセンブリを通じて放散し、下ダッシュパネルおよび車両乗員から遠ざける。ＵＤＵは、新規および既存の車、トラック、商用車、またはスポーツ用多目的車の事実上あらゆるメーカーおよびモデルに合わせることができる。
【０００６】
一実施形態によると、衝突での自動車の安全性を向上させるデバイスが開示される。デバイスは、第１および第２の衝突パッドと、第１および第２の衝突パッドの間に設けられた連結ビームとを備える。デバイスは、運動エネルギーを歪みエネルギーに変換することにより、エネルギーを吸収および放散する。デバイスは、正面衝突シナリオ、ならびに側面および背面衝突シナリオで、現在および将来の自動車の衝突性能を向上させる経済的かつ機能的な方法論を提供する。結果として、衝突での安全性が向上する。たとえば、ＵＤＵの効率的な設計と、ＵＤＵの低い重量とにより、車両の燃費への影響をごくわずかに抑えつつ、安全性を大幅に向上させることが可能になり得る。ＵＤＵは、本来は正面スモールオーバーラップ衝撃事故向けに設計されているが、ほとんどの正面衝突状況、ならびに側面および背面衝突で性能を向上させることができる。デバイスは、２つの衝突パッドと連結ビームとで構成され得る。衝突パッドおよび連結ビームの個別のコンポーネントまたはアセンブリが自動車に添付され得る。衝突時に、デバイスは、自動車の運動エネルギーの大半を歪みエネルギーに変換することにより、エネルギーを吸収および放散する。歪みエネルギーは、衝突パッドおよび連結ビームの弾性変形および塑性変形の両方の形式をとり得るが、他の構造部材の変形がエネルギーの放散に加わるという協調的効果も誘発し得る。
【０００７】
別の実施形態によると、衝突での自動車の安全性を向上させるシステムが開示される。システムは、第１および第２の衝突パッドと、第１および第２の衝突パッドの間に設けられた連結ビームとを含む。衝突パッドおよび連結ビームのアセンブリは、たとえば、前車輪格納部、後車輪格納部、または側面ドアのいずれかで、自動車に添付され得る。衝突時に、デバイスは、自動車の運動エネルギーの大半を歪みエネルギーに変換することにより、エネルギーを吸収および放散する。
【０００８】
別の実施形態によると、衝突での自動車の安全性を向上させる方法が開示される。方法は、２つ以上の衝突パッドと、自動車に添付された連結ビームとを含む。衝突時に、方法は、自動車の運動エネルギーの大半を歪みエネルギーに変換することにより、エネルギーを吸収および放散する。
【０００９】
別の実施形態によると、衝突での自動車の安全性を向上させる方法が開示される。方法は、２つ以上の衝突パッドと、自動車に添付された連結ビームとを含む。衝突パッドの少なくとも１つは、低密度かつ高強度の多孔材料の層で形成される。多孔材料は、高引張強度のスキン層でカバーされ得る。任意選択により、そのようなスキン層は、多孔材料の両側に適用されて、構造的完全性を加え、多孔材料を異物のめり込みおよび蓄積から保護する。この方法により、衝突時に、自動車の運動エネルギーの大半が歪みエネルギーに変換されることで、エネルギーが吸収および放散される。
【００１０】
さらに別の実施形態によると、衝突での自動車の安全性を向上させる方法が開示される。方法は、２つ以上の衝突パッドと、自動車に添付された連結ビームとを含む。２つの衝突パッドと連結ビームとで構成されるコンポーネントの少なくとも１つは、リブおよびウェブ設計として形成される。非限定的な例として、そのようなリブおよびウェブ設計では、主荷重経路リブが、コンポーネントの軸長にまたがる。
【００１１】
上述した概念、および以下で説明する追加の概念は、任意の適切な組み合わせで編成され得、本開示は、この点において限定されるものではない。
【００１２】
本教示の上述およびその他の態様、実施形態、および特徴は、以下の説明を添付の図面と組み合わせて読むことで、より完全に理解することができる。
【００１３】
添付の図面は、縮尺どおりに描くことを意図したものではない。図面では、さまざまな図面で描かれている同一またはほぼ同一の各コンポーネントが、同様の符号で表されている。明確性の観点から、すべてのコンポーネントにすべての図面で符号が付いているわけではない。
【図面の簡単な説明】
【００１４】
【図１】一実施形態に係る、自動車の車輪格納部に据え付けられた等減速ユニットを示す図である。
【図２】一実施形態に係る等減速ユニットを示す図である。
【図３】図２の等減速ユニットの正面図である。
【図４】正面衝撃衝突時に使用するために車両の車輪アセンブリに搭載された等減速ユニットの、衝撃が加わる前の状態を示す概略図である。
【図５】正面衝撃の初期段階での図４の等減速ユニットを示す概略図である。
【図６】衝突力により前部衝突パッドがタイヤを著しく変形させた正面衝撃時の、図４の等減速ユニットを示す概略図である。
【図７】衝撃により車両タイヤがデビードし、車輪アセンブリが後部衝突パッドに接触した後の、図４の等減速ユニットを示す概略図である。
【図８】正面衝突パッドの側面断面図である。
【図９Ａ】実施形態に係る、衝突パッドの２つのスキン層の間に挟まれた発泡体またはハニカム材料などの密度が非常に低い多孔材料を有する等減速ユニットを示す図である。
【図９Ｂ】図９Ａの等減速ユニットの一部拡大図である。
【図１０Ａ】図１０Ｂの等減速ユニットの一部拡大図である。
【図１０Ｂ】２つのスキン層の間で接合された薄壁のリブおよびウェブの行列で構成された衝突パッドを備える等減速ユニットを示す図である。
【図１１Ａ】２つのスキン層の間で相互に接合された中空チューブで構成され、それらのチューブが車両の前後軸を横断して伸びている衝突パッドを備える等減速ユニットを示す図である。
【図１１Ｂ】図１１Ａの等減速ユニットの一部拡大図である。
【図１２Ａ】車両の前後軸を横断して伸び、２つのスキン層の間で相互に接合され、粘性材料で満たされた中空チューブで構成された衝突パッドを備える等減速ユニットを示す図である。
【図１２Ｂ】図１２Ａの等減速ユニットの一部拡大図である。
【図１３Ａ】車両の前後軸を横断して伸び、２つのスキン層の間で相互に接合され、長柱状の構造で満たされた中空チューブで構成された衝突パッドを備える等減速ユニットを示す図である。
【図１３Ｂ】図１３Ａに示す等減速ユニットの一部拡大図である。
【図１４Ａ】車両の前後軸に平行に伸び、２つのスキン層の間で相互に接合された中空チューブで構成された衝突パッドを備える等減速ユニットを示す図である。
【図１４Ｂ】図１４Ａに示す等減速ユニットの一部拡大図である。
【図１５Ａ】車両の前後軸を横断して伸び、２つのスキン層の間で相互に接合され、非常に密度の低い多孔材料で満たされた中空チューブで構成された衝突パッドを備える等減速ユニットを示す図である。
【図１５Ｂ】図１５Ａに示す等減速ユニットの一部拡大図である。
【図１６Ａ】図１６Ｂに示す等減速ユニットの一部拡大図である。
【図１６Ｂ】車両の前後軸に平行に伸び、２つのスキン層の間で相互に接合され、密度の低い多孔材料で満たされた中空チューブで構成された衝突パッドを備える等減速ユニットを示す図である。
【図１７Ａ】図１７Ｂに示す等減速ユニットの一部拡大図である。
【図１７Ｂ】延性のある高強度低弾性の材料で形成され、２つのスキン層の間で相互に接合され、粘性材料で満たされた薄壁のリブおよびウェブで構成された衝突パッドを備える等減速ユニットを示す図である。
【図１８】後車輪格納部に設けられた等減速ユニットを示す図である。
【図１９】側面ドアで使用するために配置された倒立等減速ユニットの斜視図である。
【図２０Ａ】側面ドアに設けるように設計された倒立等減速ユニットのさまざまな外観を示す図である。
【図２０Ｂ】側面ドアに設けるように設計された倒立等減速ユニットのさまざまな外観を示す図である。
【図２０Ｃ】側面ドアに設けるように設計された倒立等減速ユニットのさまざまな外観を示す図である。
【図２０Ｄ】側面ドアに設けるように設計された倒立等減速ユニットのさまざまな外観を示す図である。
【図２１】自動車の側面ドアに設けられた倒立等減速ユニットを示す図である。
【図２２】主荷重経路リブが車両の前後方向でＵＤＵの長さにまたがり、主荷重経路リブが垂直なストリンガーリブで連結された、コンポーネントのリブおよびウェブ構造を示す図である。
【発明を実施するための形態】
【００１５】
自動車事故は、今日の世界における不幸な現実である。これらの事故は、最低でも、自動車の所有者および保険会社に金銭的な負担を課し、最悪のシナリオでは、自動車の運転者および／または他の乗員を死亡させる。過去数十年で、自動車業界は、正面エアバッグ、側面カーテンエアバッグ、電子衝突回避システム、構造的衝撃吸収ゾーンなどの技術革新により、安全性を大幅に進歩させた。今日の安全性に関する技術革新をもってしても、自動車の安全性をさらに向上させる要望が存在する。認識されているニーズの１つは、正面衝突による乗員への負傷をさらに最小化するように、車両設計を向上させることである。
【００１６】
典型的に、自動車は、スモールオーバーラップ正面衝突の衝撃を受ける領域に重要な構造コンポーネントを備えていない。理解されるように、衝撃から生じるエネルギーを吸収および／または伝達する構造コンポーネントがなければ、エネルギーが車輪およびサスペンションコンポーネントに向かい、それらが車輪格納部を通って運転室に入り込む可能性がある。さらに理解されるように、現在のテスト（たとえば、米国道路安全保険協会（「IIHS」）によるスモールまたはナローオーバーラップ前部衝撃テスト）は、衝撃による車両物体（たとえば、サスペンションコンポーネント、車輪、および構造部材）、とりわけ運転手の足元に位置する下ダッシュパネルおよび防火壁の乗員室への侵入に特に着目している。
【００１７】
今日まで、自動車メーカーは、シミュレートされた事故と実社会での事故の両方で車両の性能を向上させるために、２つの主な戦略を用いてきた。これらの戦略には、１）車両の前部角の、前バンパーと車輪格納部の後方側にあるパネルとの間に、構造を追加することと、２）車輪や下コントロールアームなどの構造部材を、特定の荷重では破砕し、それよりも少ないエネルギーの荷重では屈曲するように設計することとが含まれる。しかし、そのような知られている戦略では、すべての態様で満足のいく解決策を得ることはできない。
【００１８】
第１の戦略については、正面衝撃衝突の場合、車両の前部への構造的コンポーネントの追加は、衝撃により生じるエネルギーが乗員に向かうかまたは伝達することなく放散し、および／または自動車の他の領域に伝達されるように、設計され得る。自動車の前部角への構造の追加は効果的かもしれないが、そのような追加的な構造は、膨大な量の質量も自動車に追加する可能性がある。理解されるように、消費者と政府の両方から燃費に対する要求が高まっていることを考慮すると、自動車の質量の増加は、車両の市場需要に著しいマイナスの影響を与える。一方、燃費の低減と、新たな構造部材を作成するための追加的な製造コスト、ならびにそれらの新しい構造部材を追加するための自動車の再設計に関連するコストにより、このアプローチは自動車メーカーにとって魅力的ではない。
【００１９】
場合によっては、自動車メーカーはＩＩＨＳテストに合格するために必要な構造的コンポーネントを収容するために、車両を数インチ長くしてきたが、これは自動車メーカーにとってコストの著しい増大を招く。そのような追加的なコストは消費者に転嫁されるため、追加のコストと追加の質量とを最小化しつつ安全性を向上させる代替案が求められている。
【００２０】
第２の戦略について、スモールオーバーラップ正面衝撃の衝突性能は、下コントロールアームや車輪などの構造部材を、衝撃時の特定の荷重で破砕するように設計することで遂行される。理論に縛られることを望むものではないが、これは、部材を柔軟にし、よって衝撃エネルギーの一部を吸収できるようにしたうえで、最終的には所定の荷重で破壊または破砕するように設計することで実現され得る。理解されるように、これによって衝撃エネルギーの一部は放散し、運転手の足元にある下ダッシュパネルおよび運転室／乗員室の他の領域から遠ざけられる。
【００２１】
第２の戦略では、破砕可能なコンポーネントを構成する材料を評価することも必要である。たとえば、自動車デザイナーが車輪を破砕可能なコンポーネントとして設計しようとした場合、延性が高く、高い荷重で望むように破砕しない可能性がある鋼鉄で、車輪を作成することはできない。ここでも、破砕可能なコンポーネントを含めることで、コストが著しく増加し、そのコストの大部分が消費者に転嫁される可能性がある。特定の荷重条件群の下で破砕するように設計されたコンポーネントを使用することで、デザインが大幅に複雑になり、車輪のスタイリングの柔軟性が制限される可能性もある。よって、実社会の衝突状況とシミュレートされた衝突状況の両方で車両の性能を向上させるために、スモールオーバーラップ正面衝撃での自動車の性能を向上させる解決策が必要となる。
【００２２】
出願人は、スモールまたはナローオーバーラップ正面衝撃に代表されるがこれに限定されない衝突状況で、自動車の性能を向上させるための商業的に実行可能な解決策が必要であることに気づいた。一部の実施形態では、解決策が軽量な材料で構成され、衝突から生じるエネルギーを効果的に吸収して下ダッシュパネルおよび車両の乗員から放散させることができることが、設計要件となる。古い車両に後付けしてその車両の衝突状況における性能を向上させることができる解決策も必要である。
【００２３】
現在、ＩＩＨＳが正面衝撃衝突を重視していることで、車両乗員の安全性を向上させる一般的なニーズがある。理解されるように、乗員を側面衝突から低コストで保護することができる構造を設計するのは特に困難である。なぜなら、側面ドアの外側等と乗員との間には、わずかな空間しか存在しないからである。加えて、背面衝突からの乗員の低コストな保護を提供するニーズも存在する。全体として、車両に追加して衝撃から生じるエネルギーを吸収し、衝突エネルギーを最小限の変形で放散できる、新しい構造が必要とされている。
【００２４】
出願人は、正面衝突、側面衝突、および背面衝突での車両の性能を向上させることで、さまざまな利点が実現され得ることに気づいた。そのため、本明細書で開示される実施形態は、衝撃から生じるエネルギーを吸収し、衝突エネルギーを最小限の変形で放散する安全デバイスを含む。一部の実施形態では、デバイスは、車両（たとえば、車輪格納部の車輪アセンブリ）と相互作用する、第１および第２の衝突パッドと、連結ビームとを備える。正面衝突の場合、安全デバイスは、車両の下ダッシュおよび内部運転室の変形を最小化し得る。また安全デバイスは、側面衝突の場合に側面ドアの変形を最小化することができ、背面衝突の場合に後部乗員室の変形を最小化することができる。また安全デバイスは、生成される衝突力全体を最小化する態様で衝撃エネルギーを吸収することにより、車両乗員の安全性を向上させることができる。
【００２５】
一部の実施形態では、スモールまたはナローオーバーラップ正面衝突での車両の性能が向上する。正面衝突またはスモールオーバーラップ正面衝突では、性能の向上は、車輪格納部の幅の大部分にわたる塑性変形を通じた衝撃エネルギーの吸収に起因し得る。そのようなエネルギー吸収により、下ダッシュパネル、防護壁、およびＡピラーに作用してそれらを変形させる可能性があるその他のエネルギーが軽減され、車両の乗員空間に侵入して車両乗員を損傷する可能性も低減される。全体として、開示される実施形態を実装することは、車両乗員への負傷を低減することにつながる。
【００２６】
一態様によると、安全デバイスは、新規および既存の車両に、車両をほとんど改良することなく組み込むことができる等減速ユニット（「UDU」）を含む。一部の実施形態では、ＵＤＵは、第１および第２の衝突パッドと、連結ビームとを含む。一実施形態では、ＵＤＵは、車両の車輪格納部に搭載される。そのような実施形態では、正面衝突または背面衝突が発生したときに、ＵＤＵがタイヤおよび車輪アセンブリと相互作用して、エネルギーの吸収および放散を最大化する。開示されるＵＤＵは、前車輪格納部および後車輪格納部の一方または両方に適用することが可能であることが理解される。
【００２７】
さらに、ＵＤＵは事実上あらゆる車両の車輪格納部に適合させることができ、その車両の総衝突エネルギーの大部分を吸収できることが、当業者により理解される。一部の実施形態では、ＵＤＵの詳細な寸法および構成材料は、ＵＤＵが主として取り付けられる他の構造部材の衝突強度に応じて、吸収される衝突エネルギーの量を増やすかまたは減らすように調整することができる。ＵＤＵの設計に応じて、エネルギーの吸収は、車両の総衝突エネルギーの最低１０％から、総衝突エネルギーの約１００％までに及び得る。本明細書での目的の場合、構造部材は、ヘッドライトフレーム、前バンパー、フェンダー、下ダッシュパネル、Ａピラー、ロッカー、ハンドル等の品目を含み得る。
【００２８】
ここで図面を参照すると、図１は、典型的な自動車８の車輪格納部３に据え付けられたＵＤＵ１を示す。一部の実施形態では、ＵＤＵ１は、図示されているような乗用車で使用され得る。当業者により理解されるように、ＵＤＵ１は、あらゆる種類の自動車で使用され得る。これには、車、トラック、スポーツ用多目的車両、商用車、バス、オートバイ、クロスオーバー車両が含まれるが、これらに限定されない。
【００２９】
図２に示すように、ＵＤＵ１は、自動車の１つまたは複数の車輪格納部３に適合する軽量構造であり得る。たとえば、ＵＤＵ１は、前車輪格納部３、後車輪格納部３、または前および後ろの両方の車輪格納部３に据え付けられ得る。ＵＤＵ１を自動車に取り付けるために、取付孔５が使用され得る。
【００３０】
一態様によると、ＵＤＵは、倒立した「Ｕ」形状を有するが、他の適切な形状も使用され得る。図２に示すように、ＵＤＵ１は、前方衝突パッド２と、連結ビーム６と、後部または後方衝突パッド４とを備える。一部の実施形態では、ＵＤＵ１は、連結ビーム６に接合された複数の前方衝突パッド２および／または複数の後方衝突パッド４をさらに備え得る。理解されるように、これらのコンポーネントはＵＤＵ１と呼ばれ得る。さらに理解されるように、ＵＤＵ１は他のコンポーネントも備え得る。
【００３１】
連結ビーム６は前方および後方の衝突パッドを連結する単一部品として示されているが、理解されるように、他の実施形態では、連結ビーム６は１つまたは複数の部分を含み得る。
【００３２】
一部の実施形態では、ＵＤＵ１のコンポーネントは、互いに区別することができない。たとえば、ＵＤＵ１は、前方衝突パッド２と、後方衝突パッド４と、連結ビーム６とが単一の構造として形成されるモノリシック構造を有し得る。さらに、前方衝突パッド２、後方衝突パッド４、および連結ビーム６を構成する個別のコンポーネントは、直線状であるか、または上方、下方、右側、もしくは左側に曲がっている可能性がある。実際、前方衝突パッド２、後方衝突パッド４、および連結ビーム６のアセンブリは、直線部分で構成されるか、または上方、下方、右側、もしくは左側に曲がっている可能性がある。
【００３３】
当業者により理解されるように、ＵＤＵの個別のコンポーネントは、幅広い種類の成形方法を使用して、幅広い種類の材料から製作され、一般的に使用可能な幅広い方法を使用してアセンブリに接合され得る。例示的な材料として、本開示の範囲を制限するものではないが、高強度、低密度、および比較的低コストなことで知られているアルミニウム合金や、炭素繊維複合材、高分子複合材、金属基複合材、鋼鉄を含む層状複合材、高強度プラスチックなどがある。たとえば、衝突パッドは、単位体積当たり質量が約３，０００ｋｇ／ｍ３未満、降伏強度が少なくとも１８０ＭＰａ、ヤング係数が少なくとも５００ＭＰａの材料で構成され得る。多孔性が実質的にゼロより大きい多孔材料は、高強度と低密度の組み合わせとして特に興味深いものであり得る。たとえば、衝突パッドは、単位体積当たり質量が約１，０００ｋｇ／ｍ３未満の多孔材料で構成され得る。例示的な成形方法として、これも開示の範囲を限定するものではないが、打抜き加工、鍛造、鋳造、切削加工、および印刷がある。接合方法は、圧着、ねじ、もしくは無頭くぎを含む単純な機械的接合、一般的な溶接、摩擦撹拌溶接、高強度粘着物の追加、またはこれらの任意の組み合わせを含み得る。理解されるように、ＵＤＵの各コンポーネントは、同じ材料および／または同じ製造技法で作成され得るが、これらのコンポーネントは、異なる材料および／または異なる製造手法でも作成され得る。
【００３４】
前方衝突パッド２と、連結ビーム６と、後方衝突パッド４とを備えるＵＤＵ１を示す図２を再び参照する。図示されているように、ＵＤＵ１は、正面衝撃、またはより詳細にはスモールオーバーラップ衝撃から生じる衝撃のエネルギーを吸収および偏向するように設計された、多孔材料の１つまたは複数の層を含み得る。
【００３５】
一部の実施形態では、図２および図３に示されているように（図３は、前方衝突パッド２の正面図である）、ＵＤＵ１は、約０．２〜０．１メートルの高さＨと、約０．５〜２．０メートルの長さＬと、約５〜２００ｍｍの厚さＴとを有する。理解されるように、ＵＤＵ１は、他の実施形態では他の適切な寸法を有し得る。図３に示すように、前方衝突パッド２は、約５〜２００ｍｍの厚さＴ１と、約０．１〜１．０メートルの長さＬ１とを有し得る。さらに理解されるように、後方衝突パッド４は、この図に示されているように、前方衝突パッド２と同じサイズを有し得るが、これらの衝突パッドは異なるサイズでもよい。さらに理解されるように、前部および後方の衝突パッドはこれらの図では同じ形状として示されているが、前部および後方の衝突パッドは、異なる形状を有していてもよい。取付孔５は、ＵＤＵ１を自動車に取り付けるために使用され得る。
【００３６】
理論に縛られることを望むものではないが、ＵＤＵ１の利益を含まない典型的な正面衝突では、衝突衝撃は、前バンパー、ヘッドライト、および／または車輪格納部材料などの車両の既存の構造によってまず吸収される。次に、衝撃の力は、車両の車輪格納部３を通って、これらのコンポーネントを後方に推進し、空気の入ったタイヤ１０、車輪アセンブリ１２、下コントロールアーム（図示せず）、ブレーキアセンブリ（図示せず）などの他のコンポーネントへ向かわせる。結果として、自動車コンポーネントの一部が、下ダッシュパネル、Ａピラー、およびハンドルへと押しやられ、乗員室に侵入して、場合によっては乗員を損傷する。
【００３７】
図４〜図７に示すように、ＵＤＵ１を有する自動車が衝突した場合、ＵＤＵ１がタイヤおよび車輪アセンブリと相互作用して、エネルギーの吸収および放散を最大化し、車両の衝突性能を向上させる。図４に示すように、通常の、衝突前の状態では、ＵＤＵ１は車両の車輪アセンブリに搭載され、ＵＤＵ１が車輪の上半分の周囲に延長するかたちになっている。理解されるように、ＵＤＵ１は、図１に示すように、車両の車輪格納部３の既存の構造コンポーネントと相互作用的に動作する。
【００３８】
ＵＤＵが自動車に据え付けられた実施形態では、最初の衝突衝撃が、ＵＤＵが配置されていない場合の正面衝撃と同様に、まず既存の車両コンポーネント（すなわち、ヘッドライトフレーム、前バンパー、およびフェンダー）により吸収される。しかし、図５に示すように、ＵＤＵ１が配置されている場合、衝撃が前方衝突パッド２に到達すると、前方衝突パッドが空気の入ったタイヤ１０および車輪アセンブリ１２と接触する。そのような状況で、前方衝突パッド２および空気の入ったタイヤ１０に作用する力が増大すると、空気の入ったタイヤ１０がデビードし、空気圧を失う。
【００３９】
図６に示すように、空気の入ったタイヤ１０から空気圧が失われると、前方衝突パッド２は、車輪アセンブリ１２に荷重を適用する。そのような状況では、荷重が増加し続けるにつれ、前方衝突パッド２と車輪アセンブリ１２の両方が変形し続ける。
【００４０】
図７に示すように、変形の閾値量に到達すると、連結ビーム６は塑性変形を始める。たとえば、変形の閾値は、前部衝突パッドが車輪アセンブリ１２に接触するポイントであり得る。この状況で、前方衝突パッド２は、車輪アセンブリ１２と空気の抜けたタイヤ１６とを後方衝突パッド４に向けて押す。一部の実施形態では、前方衝突パッド２と後方衝突パッド４とが塑性変形するにつれ、衝突により生成され車両の車輪格納部３の領域に渡されたエネルギーが吸収および放散される。
【００４１】
理解されるように、設計のバリエーションにより、車輪アセンブリ１２は、後方衝突パッド４が著しく変形したポイントで破砕する場合と、しない場合とがある。しかし、さらに理解されるように、この破砕ポイントで、衝突により生成されたエネルギーの多くは、車両の既存の構造およびＵＤＵ１の両方により既に吸収されている。よって、下ダッシュパネルおよび乗員空間への侵入が限定され、または場合によっては防止され得る。
【００４２】
一態様によると、ＵＤＵは、倒立した「Ｕ」形状を有する。そのような倒立した「Ｕ」形状により、自動車の設計を著しく変更することなく、ＵＤＵを自動車の車輪格納部３に据え付けることが可能になり得る。よって、新しい車両（たとえば、現在製造されている車両）または古い車両に、高コストな設計変更を加えることなく、デバイスを追加することができる。
【００４３】
理解されるように、据え付け方法は、ＵＤＵのエネルギー吸収特性に適っている。たとえば、図１および図４に示すように、車輪アセンブリ１２の上方にＵＤＵ１を配置することで、前方衝突パッド２は、空気の入ったタイヤ１０が衝突時に圧縮されて空気が抜ける際に、空気の入ったタイヤ１０および車輪アセンブリ１２を縦姿勢に保つことができる。一部の実施形態では、連結ビーム６は、前方衝突パッド２が車輪アセンブリ１２および空気の抜けたタイヤ１６と接触した状態で変形する。衝突が進行するにつれ、連結ビーム６は、まず弾性的に変形し、次に塑性的に変形する。そのような変形は、前方衝突パッド２が空気の抜けたタイヤ１６および車輪アセンブリ１２と接触したままの状態で発生し得る。理解されるように、前方衝突パッド２と空気の抜けたタイヤ１６および車輪アセンブリ１２との間が常に接触していることで、車輪アセンブリ１２が衝突時に車輪格納部３に対して回転するのを防ぐ役割を果たし得る。
【００４４】
一部の実施形態では、そのような回転を防ぐことで、車輪アセンブリ１２により吸収されたエネルギーの量を減らす効果があり得る。理解されるように、車輪アセンブリ１２のそのような回転は、衝突状況における従来型の設計の性能に共通する問題である。事実、車輪アセンブリ１２は、典型的にはエネルギーをさらに放散する手段として破砕可能に設計されるが、そのような設計は、車輪アセンブリ１２が回転しているときには所望の効果を達成しない。または、Ａピラーに係合するために、もしくは車輪格納部３の内部の荷重経路を断ち切るために、衝突時に車輪を車輪格納部３に対して回転させることが設計で意図されている場合、そのような戦術は、衝突の複雑な運動力学に依存する制限を有する。
【００４５】
これに対し、ＵＤＵ１では、前方衝突パッド２が空気の抜けたタイヤ１６および車輪アセンブリ１２との接触を維持し得、連結ビーム６が変形したときに、車輪アセンブリ１２が後方衝突パッド４に対して固定され得る。そのような状況では、車輪アセンブリ１２が破砕するまで、後方衝突パッド４が塑性変形し得る。理解されるように、後方衝突パッド４が変形し、車輪アセンブリが恐らく破砕すると、下ダッシュパネル、Ａピラー、および乗員に作用する過剰な力は最小化される。
【００４６】
一部の実施形態では、ＵＤＵにより、衝突エネルギーにより生成されたエネルギーの大半が、一般的な自動車８に含まれるコンポーネントと、ＵＤＵのコンポーネントとの組み合わせにより、放散される。
【００４７】
一部の実施形態では、車両へのＵＤＵ１の搭載は、正面衝突パッド２、後方衝突パッド４、および／または連結ビーム６で取付孔５（図２および図３を参照）を通じて達成することができる。正面衝撃衝突の場合、搭載ブラケットがこれらの各コンポーネントに任意選択により配置され、車輪格納部３に位置合わせされ得る。ＵＤＵは、任意の数の機械的、物理的、または化学的な手段を通じて車両に固定され得る。これには、ねじ、ボルト、リベット、接着剤、高強度粘着物、溶接、またはショックタワー、フェンダー、バンパー、ボンネットを含むがこれらに限定されない車両の既存の構造コンポーネントへの組み込みが含まれるが、これらに限定されない。一部の実施形態では、前方衝突パッド２および後方衝突パッド４は、金属発泡体やハニカム材料など、密度が非常に低い多孔材料で構成される。前方衝突パッド２と後方衝突パッド４とを連結する連結ビーム６は、任意選択により、衝突パッドと同じ低密度の多孔材料で構成され得る。一実施形態では、連結ビーム６は、大量のエネルギーを破損または破砕することなく吸収する著しい塑性変形に耐えられるようにするために、ヤング係数が低い高強度材料で構成され得る。連結ビーム６は、直線状であるか、または上方、下方、右側、もしくは左側に曲がっている可能性がある。
【００４８】
前方衝突パッド２、後方衝突パッド４、および連結ビーム６は、個別に構成されてから組み合わされるか、または単一のモノリシック構造として構成され得る。理解されるように、多孔材料および／またはハニカム材料は、衝撃時に破損することなく塑性変形を通じて膨大なエネルギーを吸収するための十分な強度を有し得る。一部の実施形態では、前方衝突パッド２、後方衝突パッド４、および連結ビーム６は、押し出し、鋳造、鍛造、またはその他の金属成形手法により構成することができる。
【００４９】
図８は、前方衝突パッド２および後方衝突パッド４のエネルギー吸収層２０を示す。一実施形態では、エネルギー吸収層２０は、衝突力を衝突パッドのより広い領域に容易に広げられるようにするために、高引張強度層１８によりカバーされ得る。この高引張強度層１８は、任意選択により対象の衝突パッドの内面または外面に個別に適用するか、内面と外面の両方に適用することができる。一方の側への適用では、高引張強度層１８は、正面衝撃または背面衝撃時に空気の入ったタイヤ１０および車輪アセンブリ１２に接触し得る衝突パッドの表面に適用され得る。高引張強度層１８は、衝撃時に衝突荷重を衝突パッドの広い領域に広げることを意図したものである。
【００５０】
図９に示すように、エネルギー吸収層２０の別の実施形態は、２つの高引張強度材料の層１８の間に挟まれた、密度が非常に低い多孔材料を含み得る。たとえば、衝突パッドは、２つのスキン層の間に挟まれた、単位体積当たり質量が約１，０００ｋｇ／ｍ３未満である、金属発泡体とも呼ばれる多孔材料で構成され、それらのスキン層が金属発泡体に取り付けられ得る。
【００５１】
低密度の多孔材料２２は、鋳造、鍛造、またはその他の金属成形手法により製作され得る。また、ＵＤＵ１の構造は、３つの独立したコンポーネント、すなわち、それぞれが上述した材料から構成された正面衝突パッド２、後方衝突パッド４、および連結ビーム６から組み立てられ得る。この代替構造を、衝突力を衝突パッドのより広い領域に容易に広げられるようにするために、高引張強度層１８でカバーするか、またはカバーしないことが可能である。そのような高引張強度層１８で、構造の１つの側、複数の側、またはすべての側をカバーするか、またはカバーしないことが可能である。
【００５２】
図１０を参照すると、ＵＤＵ１の別の実施形態は、衝突パッドの主要なエネルギー吸収層として、多孔材料の代わりに、高延性、高強度、および比較的低弾性の特性を有する材料から形成された薄壁のリブおよびウェブ２４の行列を利用する。行列は、薄壁のリブを含み得、ウェブ２４が、鋳造、鍛造、またはその他の材料形成手法により製作され得る。また、正面衝突パッド２、後方衝突パッド４、および連結ビーム６は、上述した材料から構成され得る。この代替構造を、衝突力を衝突パッドのより広い領域に容易に広げられるようにするために、高引張強度層１８でカバーするか、またはカバーしないことが可能である。そのような高引張強度層１８で、構造の１つの側、複数の側、またはすべての側をカバーするか、またはカバーしないことが可能である。
【００５３】
図１１は、車両の前後軸を横断するように方向付けられたチューブ配列２６で構成されたエネルギー吸収層で構成された前方および後方の衝突パッド２、４を含むＵＤＵ１の別の実施形態を示す。チューブ配列２６は、高延性、高強度、および比較的低弾性の特性を有する材料を使用した単一の層、二重の層、または多重の層であり得る。チューブ配列２６を構成する薄壁のチューブは、円形、長方形、または別の閉じた幾何学的もしくは有機的形状の断面形状を有し得る。この構成は、押し出し、鋳造、鍛造、およびその他の金属形成手法を含むがこれらに限定されないさまざまな方法により形成され得る。チューブ配列２６は、１つの連続した部品として生成され得、または、互いに接合された複数の別々の薄壁チューブから形成され得る。チューブ配列２６は、任意選択により高延性、高強度、および比較的低弾性の所望の特性を与えるように設計された人工材料の複合物から製作され得る。
【００５４】
図１２は、前方および後方の衝突パッド２、４が車両の前後軸を横断するように方向付けられたチューブ配列２６を有するエネルギー吸収層で構成された、ＵＤＵ１のさらに別の実施形態を示す。この実施形態で、チューブ配列２６を構成するそのような薄壁チューブは、粘性材料２８で満たされる。チューブ配列２６を構成する薄壁チューブは、外力が適用されたときに粘性材料２８が特定の経路をたどるように強制される態様で構成される。衝突進行の何らかのポイントで、粘性材料２８は、制限された開口を通じてチューブから押し出され、よって衝突エネルギーを油圧のような機構で吸収する。チューブ配列２６の変形は、衝突時のエネルギーに加えて、粘性流体２８の強制された動きを吸収する。チューブ配列２６は、高延性、高強度、および比較的低弾性の特性を有する材料を使用した単一の層、二重の層、または多重の層であり得る。チューブ配列２６を構成する薄壁のチューブは、円形、長方形、または別の閉じた幾何学的もしくは有機的形状の断面形状を有し得る。この構成は、押し出し、鋳造、鍛造、およびその他の金属形成手法を含むがこれらに限定されないさまざまな方法により形成され得る。チューブ配列２６は、１つの連続した部品として生成され得、または、互いに接合された複数の別々の薄壁チューブから形成され得る。またチューブ配列２６は、高延性、高強度、および比較的低弾性の所望の特性を与えるように設計された人工材料の複合物から製作され得る。
【００５５】
図１３は、前方および後方の衝突パッド２、４が車両の前後軸を横断するように方向付けられたチューブ配列２６を有するエネルギー吸収層で構成された、ＵＤＵ１のさらに別の実施形態を示す。チューブ配列２６は、高延性、高強度、および比較的低弾性の特性を有する材料を使用した単一の層、二重の層、または多重の層であり得る。チューブ配列２６を構成する薄壁のチューブは、円形、長方形、または別の閉じた幾何学的もしくは有機的形状の断面形状を有し得る。チューブは、長柱状の構造３０で満たされ得る。長柱状の構造３０は、チューブの内部に配置され得、外側のチューブに対して垂直かつ自動車の前後軸に対して平行に方向付けられ得る。衝突の進行時に、チューブ配列２６が潰れるときに、チューブの内部構造が曲がり得る。この構成は、押し出し、鍛造、鋳造、およびその他の金属形成手法を含むがこれらに限定されないさまざまな方法により形成され得る。チューブ配列２６は、１つの連続した部品として生成され得、または、互いに接合された複数の別々のチューブから形成され得る。またチューブ配列２６は、高延性、高強度、および比較的低弾性の所望の特性を与えるように設計された人工材料の複合物から製作され得る。
【００５６】
図１４は、前方および後方の衝突パッド２、４が車両の前後軸に平行に方向付けられた平行チューブ配列３２を有するエネルギー吸収層で構成された、ＵＤＵ１のさらに別の実施形態を示す。平行チューブ配列３２は、高延性、高強度、および比較的低弾性を有する材料を使用した単一の層、二重の層、または多重の層であり得る。チューブ配列３２を構成する薄壁のチューブは、円形、長方形、または別の閉じた幾何学的もしくは有機的形状の断面形状を有し得る。チューブ配列３２を構成する薄壁のチューブは、軽量で高強度な材料の層１８の間に挟まれ得る。この構成は、押し出し、鍛造、鋳造、およびその他の金属形成手法を含むがこれらに限定されないさまざまな方法により形成され得る。チューブ配列３２は、１つの連続した部品として生成され得、または、互いに接合された複数の別々のチューブから形成され得る。またチューブ配列３２は、高延性、高強度、および比較的低弾性の所望の特性を与えるように設計された人工材料の複合物から製作され得る。
【００５７】
図１５は、車両の前後軸を横断するように方向付けられたチューブ配列３４で構成された主エネルギー吸収層で構成された前方衝突パッド２および後方衝突パッド４を利用する別の実施形態を示す。チューブ配列３４は、高延性、高強度、および比較的低弾性の特性を有する材料を使用した単一の層、二重の層、または多重の層であり得る。チューブ配列３４を構成する薄壁のチューブは、金属発泡体やハニカム材料など、密度が非常に低い多孔材料で満たされる。チューブは、拡張高分子発泡体でも満たされ得る。チューブ配列３４を構成する薄壁のチューブは、円形、長方形、または別の閉じた幾何学的もしくは有機的形状の断面形状を有し得る。薄壁のチューブの内部構造は、チューブ配列３４が衝突状況で潰れたときに潰れる。この構成は、押し出し、鍛造、鋳造、およびその他の金属形成手法を含むがこれらに限定されないさまざまな方法により形成され得る。チューブ配列３４は、１つの連続した部品として生成され得、または、互いに接合された複数の別々のチューブから形成され得る。またチューブ配列３４は、高延性、高強度、および比較的低弾性の所望の特性を与えるように設計された人工材料の複合物から製作され得る。
【００５８】
図１６は、車両の前後軸に平行に方向付けられたチューブ配列３６で構成された主エネルギー吸収層で構成された前方衝突パッド２および後方衝突パッド４を利用する別の実施形態を示す。チューブ配列３６は、高延性、高強度、および比較的低弾性を有する材料を使用した単一の層、二重の層、または多重の層であり得る。チューブ配列３６は、円形、長方形、または別の閉じた幾何学的もしくは有機的形状の断面形状を有する薄壁のチューブで構成され得る。薄壁のチューブは、金属発泡体やハニカム材料など、密度が非常に低い多孔材料で満たされる。チューブは、拡張高分子発泡体でも満たされ得る。薄壁のチューブは、軽量で高強度な材料の層１８の間に挟まれ得る。薄壁のチューブの内部構造は、チューブ配列３６が衝突状況で潰れるときに曲がる。そのような構成は、押し出し、鋳造、鍛造、およびその他の金属形成手法を含むがこれらに限定されないさまざまな方法により形成され得る。チューブ配列３６は、１つの連続した部品として生成され得、または、互いに接合された複数の別々のチューブから形成され得る。またチューブ配列３６は、高延性、高強度、および比較的低弾性の所望の特性を与えるように設計された人工材料の複合物から製作され得る。
【００５９】
図１７は、高延性、高強度、および比較的低弾性の特性を有する材料から形成され、金属発泡体やハニカム材料などの密度が非常に低い多孔材料で満たされた薄壁のリブおよびウェブ３８の行列の配列で構成された主エネルギー吸収層２０で構成された前方衝突パッド２および後方衝突パッド４を利用する別の実施形態を示す。リブおよびウェブの間の空間は、拡張高分子発泡体でも満たされ得る。そのような構成は、押し出し、鋳造、鍛造、およびその他の金属形成手法を含むがこれらに限定されないさまざまな方法により形成され得る。
【００６０】
図１８は、後部衝撃から生じるエネルギーを放散するために、等転置ユニットが後部フェンダー３９および車輪格納部３に設けられた別の実施形態を示す。後車輪格納部３に据え付けられたＵＤＵ１は、前部のＵＤＵ１とほぼ同じ態様で車輪と相互作用する。ＵＤＵ１が配置されている場合、ＵＤＵ１が配置されていない場合の後部衝撃と同様に、最初の衝撃が既存の車両コンポーネント（すなわち、テールライトアセンブリ、後ろバンパー、およびフェンダー）により吸収される。しかし、ＵＤＵ１が配置されている場合、衝撃が後方衝突パッド４に到達すると、図１８に示すように、後方衝突パッド４が空気の入ったタイヤ１０および車輪アセンブリ１２と強制的に接触させられる。後方衝突パッド４および空気の入ったタイヤ１０に作用する力が増すにつれ、空気の入ったタイヤ１０はデビードし、空気圧を失う。空気の入ったタイヤ１０から空気圧が失われると、後方衝突パッド４は車輪アセンブリ１２に荷重を適用する。後方衝突パッド４および車輪アセンブリ１２の両方は、荷重が増え続けるにつれ、変形し続ける。変形が特定の量に達したところで、連結ビーム６は塑性変形を開始し、後方衝突パッド４が車輪アセンブリ１２と空気の抜けたタイヤ１６とを前方衝突パッド２に押しやる。自明なように、エネルギー放散のシナリオは、ＵＤＵ１が前車輪格納部３に据え付けられている場合の正面衝突のシナリオを反転させたかたちとなる。
【００６１】
正面衝突および背面衝突から保護するために車輪格納部３で使用されるＵＤＵ１の実施形態を示して説明してきたが、ＵＤＵ１は、側面衝突から保護するために、前部ドアまたは後部ドアで使用することもできる。ＵＤＵ１が車両の前部ドアまたは後部ドアに据え付けられる実施形態では、ＵＤＵ１は、図１９に示すように、幅の狭い倒立したＵ形状で設計され得る。正面衝突および背面衝突に対する構成と同様に、側面ドアのＵＤＵは、外側の衝突パッド２と、連結ビーム６と、内側の衝突パッド４とで構成され得る。
【００６２】
図２０は、側面ドアに据え付けるように設計された、幅の狭い倒立したＵＤＵの複数の外観を示す。コンポーネントの形状は、エネルギー放散の利点を維持しながら、側面ドアに適合するように改良される。
【００６３】
図２１は、側面衝突から生じるエネルギーを放散するために車両の側面ドア４０に据え付けられた、幅の狭い倒立したＵＤＵ４１を示す。エネルギーを吸収するＵＤＵ４１は、自動車の外板およびピラーフレーミング側面ドア４０と相互作用して、エネルギーを放散し、乗員室ののめり込みおよび乗員への潜在的な損傷を最小化する。前部衝撃向けに設計されたＵＤＵと同様に、一部の実施形態では、システムは短い連結ビームにより連結された内側および外側の衝突パッドで構成される。内側衝突パッドは、側面ドア衝撃ビーム構造に連結される。外側衝突パッドは、ドアの外板に連結される。側面ドアＵＤＵ４１は、衝突エネルギーが吸収されるときに、車両コンポーネントが側面ドアを通ってめり込むのを防ぎ、それによって車両コンポーネントが車両の運転手空間に侵入するのを防ぐ働きをし得る、高強度複合障壁も提供する。
【００６４】
図２２は、ＵＤＵ１のリブおよびウェブ構造を示す図である。図示された実施形態では、前方衝突パッド２および後方衝突パッド４が任意選択により多孔材料から構成される。連結ビーム６は、車両の前後方向で連結ビームの長さにまたがる多数の主荷重経路リブ４１で形成され得、主荷重経路リブ４１は垂直なストリンガーリブ４２により連結される。
【００６５】
ＵＤＵを限定するためではなく、詳しく述べるために、衝突パッド、連結ビーム、およびアセンブリを構成する特定の例示的方法について、以下でさらに詳しく説明する。
【００６６】
前方衝突パッド、後方衝突パッド、および連結ビームを、アセンブリのコンポーネントとして扱うと有利であり得る。一実施形態では、１つまたは複数のコンポーネントの製作は、高品質アルミニウム合金ダイ鋳造による高引張強度スキン層の作成を含む。鋳造は、主荷重経路リブが車両の前後方向でＵＤＵの長さにまたがるリブおよびウェブ設計である。主荷重経路リブは、構造荷重の要求により離間した垂直なストリンガーリブにより連結され得る。図２２は、単一コンポーネントの代表的構造を示す。ストリンガーリブの機能は、衝突の塑性変形時に前後リブの間隔を維持することである。コンポーネントは、２つの構成のいずれかで一体に鋳造されたスキンを備え得る。第１の構成は、自動車の前後軸に対して垂直な長寸法を有するポケットを鋳造することを含む。第２の構成は、自動車の前後軸に対して平行な長寸法を有するポケットを鋳造することを含む。
【００６７】
内側と外側の両方の一体スキンは、単一の鋳造の一部として形成され得、または代替で、内側および外側のスキンの一方だけが鋳造の一部として形成され、第２のスキンが後続の組み立て工程で高強度粘着物を使用して接着され得る。この場合、スキンは、リブの間の「ウェブ」として機能する。たとえば、多孔性が８０〜９４％である低密度アルミニウム発泡体が、スキンのポケットに据え付けられ、高強度粘着物により適所で接着される。アルミニウム発泡体をスキンのすべてのポケットに適用するか、スキンの１つおきのポケットに適用するか、またはその他の何らかのパターンでスキンのポケットに適用することができる。アルミニウム発泡体の密度と、鋳造されたスキンでのフォーム充填パターンとは、衝突衝撃エネルギーを放散する能力に対するコストのバランスを考えて最適化され得る。
【００６８】
スキンの任意選択の側方開口部は、アルミニウム発泡体をカバーしポケット開口部を封止するように形成されたアルミニウムプレートでカバーされ得る。これらのカバープレートは、高強度粘着物を使用して、鋳造されたスキンおよびアルミニウム発泡体に接着される。完成したＵＤＵアセンブリは、任意選択によりアセンブリを水分、道路用塩、エンジン流体、埃、砂利、および石から保護するために、コーティングされ得る。選択されるコーティングは、ポリ尿素ベースのタフコーティングである。
【００６９】
コンポーネントのさらに別の構成では、内側および外側のスキンの両方が、独立した部品として作成される。内側および外側のスキンは、発泡体を含まない低密度多孔材料またはハニカム等のリブおよびウェブ構造であり得る内部構造を挟む。この場合、車両のエネルギー吸収要件により密度が決定されるアルミニウム発泡体またはその他の低密度多孔構造として形成された部品が、任意選択により高強度粘着物を使用して、内側および外側のスキンの間で接着される。発泡体部品は、エネルギー吸収計算により決定されるように離間させることができる。アルミニウム発泡体部品間の空間は、空のままにするか、拡張高分子発泡体で満たすことができる。低密度多孔材料の一例として、ポリウレタン発泡体がある。そのような材料を適用すると、構造的剛性を向上させ、構造への水分侵入を低減する効果がある。
【００７０】
本教示についてさまざまな実施形態および例を組み合わせて説明してきたが、本教示はそのような実施形態または例に限定されるものではない。むしろ本教示は、当業者により理解されるように、さまざまな代替、改良、および等価物を包含する。よって、上述した説明および図面は、例に過ぎない。
【図１】
2018504321.tif 000003
【図２】
2018504321.tif 000004
【図３】
2018504321.tif 000005
【図４】
2018504321.tif 000006
【図５】
2018504321.tif 000007
【図６】
2018504321.tif 000008
【図７】
2018504321.tif 000009
【図８】
2018504321.tif 000010
【図９Ａ】
2018504321.tif 000011
【図９Ｂ】
2018504321.tif 000012
【図１０Ａ】
2018504321.tif 000013
【図１０Ｂ】
2018504321.tif 000014
【図１１Ａ】
2018504321.tif 000015
【図１１Ｂ】
2018504321.tif 000016
【図１２Ａ】
2018504321.tif 000017
【図１２Ｂ】
2018504321.tif 000018
【図１３Ａ】
2018504321.tif 000019
【図１３Ｂ】
2018504321.tif 000020
【図１４Ａ】
2018504321.tif 000021
【図１４Ｂ】
2018504321.tif 000022
【図１５Ａ】
2018504321.tif 000023
【図１５Ｂ】
2018504321.tif 000024
【図１６Ａ】
2018504321.tif 000025
【図１６Ｂ】
2018504321.tif 000026
【図１７Ａ】
2018504321.tif 000027
【図１７Ｂ】
2018504321.tif 000028
【図１８】
2018504321.tif 000029
【図１９】
2018504321.tif 000030
【図２０Ａ】
2018504321.tif 000031
【図２０Ｂ】
2018504321.tif 000032
【図２０Ｃ】
2018504321.tif 000033
【図２０Ｄ】
2018504321.tif 000034
【図２１】
2018504321.tif 000035
【図２２】
2018504321.tif 000036
【国際調査報告】
2018504321.tif 000037
2018504321.tif 000038
2018504321.tif 000039